(57)【要約】【課題】入力軸と外輪間に２方向クラッチと、その２方向クラッチのオン、オフを制御する電磁クラッチを組込んだ回転伝達装置において、めっき等の防錆処理を不要にしてコストの低減を図ることである。【解決手段】入力軸１と外輪２間に、入力軸１に対する保持器９の相対回転により係合子８を入力軸１および外輪２に係合、離脱させる２方向クラッチ５と、電磁石１９に対する通電により保持器９に回り止めされて軸方向に移動可能なアーマチュア１７を外輪２のロータガイド１５に回り止めされたロータ１８に吸着させて保持器９に回転抵抗を付与する電磁クラッチ１６とを組込む。ロータガイド１５、アーマチュア１７、ロータ１８および電磁石１９のコア１９ａのそれぞれをめっき鋼板で形成して、これらの各種の金属部品にめっき等の防錆処理を不要とし、コストの低減を図る。【選択図】図１
2007155101.tif 000002
【特許請求の範囲】
【請求項１】
入力側部材と筒状の出力側部材とを同軸上に配置して相対的に回転自在に支持し、その入力側部材と出力側部材の相互間に、係合子およびその係合子を保持する保持器を有し、前記入力側部材に対する保持器の相対回転により係合子を入力側部材および出力側部材に係合させる２方向クラッチを組込み、前記入力側部材と保持器の相互間には前記係合子を係合解除される中立位置に保持するスイッチばねを設け、前記２方向クラッチの保持器にスイッチトルクを負荷する電磁クラッチを前記出力側部材の開口端部に嵌合固定されたロータガイド内に組込み、その電磁クラッチが、保持器に対して回り止めされ、かつ軸方向に移動可能なアーマチュアと、前記ロータガイド内に圧入されて前記アーマチュアと軸方向で対向するロータと、そのロータに対して軸方向に対向配置され、通電によりロータにアーマチュアを吸着させる電磁石とから成る回転伝達装置において、
前記ロータガイド、ロータ、アーマチュアおよび電磁石のコアのうちの少なくとも一つの金属部品をめっき鋼板で形成したことを特徴とする回転伝達装置。
【発明の詳細な説明】
【技術分野】
【０００１】
この発明は、車両の動力伝達経路において、動力の伝達と遮断の切換えに用いられる回転伝達装置に関するものである。
【背景技術】
【０００２】
この種の回転伝達装置として特許文献１に記載されたものが従来から知られている。上記特許文献１に記載された回転伝達装置はトランスミッションの出力軸から回転トルクが伝達される入力軸にカムリングを設け、そのカムリングの外側に設けられた外輪を入力軸に対して相対的に回転自在に支持し、前記カムリングと外輪間に２方向クラッチを組込み、その２方向クラッチのオン、オフを制御する電磁クラッチを前記外輪の開口端部に嵌合したロータガイド内に組込んで上記２方向クラッチに並設している。
【０００３】
ここで、２方向クラッチは、カムリングの外周に外輪の内周に形成された円筒面との間でくさび形空間を形成するカム面を設け、そのカム面と円筒面との間に組込まれたローラをカムリングと外輪間に組込まれた保持器で保持し、その保持器にカムリングの端面に支持されたスイッチばねのばね力を付与してローラが円筒面およびカム面に対して係合解除される中立位置に保持器を弾性保持している。
【０００４】
一方、電磁クラッチは、保持器に対して回り止めされ、かつ軸方向に移動可能に支持されたアーマチュアと、外輪の端部内に圧入されてアーマチュアと軸方向で対向するロータと、そのロータに対して軸方向に対向配置された電磁石と、前記アーマチュアをロータから離反させる離反ばねとから成り、前記ロータには前記アーマチュアと対向する吸着面に複数の環状に配置されたスリットを設けている。
【０００５】
上記の構成から成る回転伝達装置においては、入力軸の回転時に、電磁クラッチの電磁石に通電すると、アーマチュアがロータに吸着され、その吸着面に作用する摩擦抵抗が保持器の回転抵抗となって入力軸と保持器が相対回転し、ローラが円筒面およびカム面に係合して入力軸の回転が外輪に伝達される。
【０００６】
また、電磁石に対する通電を遮断すると、スイッチばねのばね力により保持器が回転してローラが中立位置に戻され、入力軸のみが回転する。
【特許文献１】特開２００３−２６７０８３号公報
【発明の開示】
【発明が解決しようとする課題】
【０００７】
ところで、上記回転伝達装置においては、耐久性の向上を図るため、各種の金属部品に防錆処理を施す場合が多い。その防錆処理として、エポキシ樹脂系の塗膜を形成する方法が従来から知られているが、塗りむらや取り扱い時の塗膜の損傷、剥がれが生じ易く、また飛散するオイルの付着によって塗膜に溶解が生じ、耐久性に問題がある。
【０００８】
そのような問題点は、例えば、特開２００４−１６２８８６号公報に記載されているように、金属表面部にめっきや焼付けによる防錆処理を施すことによって解決することができるが、この場合には、めっき前に金属表面の脱脂処理を行う必要があるため、コストが高くつくという不都合がある。
【０００９】
この発明の課題は、防錆処理を不要とすることができるようにした耐久性に優れたコストの安い回転伝達装置を提供することである。
【課題を解決するための手段】
【００１０】
上記の課題を解決するために、この発明においては、入力側部材と筒状の出力側部材とを同軸上に配置して相対的に回転自在に支持し、その入力側部材と出力側部材の相互間に、係合子およびその係合子を保持する保持器を有し、前記入力側部材に対する保持器の相対回転により係合子を入力側部材および出力側部材に係合させる２方向クラッチを組込み、前記入力側部材と保持器の相互間には前記係合子を係合解除される中立位置に保持するスイッチばねを設け、前記２方向クラッチの保持器にスイッチトルクを負荷する電磁クラッチを前記出力側部材の開口端部に嵌合固定されたロータガイド内に組込み、その電磁クラッチが、保持器に対して回り止めされ、かつ軸方向に移動可能なアーマチュアと、前記ロータガイド内に圧入されて前記アーマチュアと軸方向で対向するロータと、そのロータに対して軸方向に対向配置され、通電によりロータにアーマチュアを吸着させる電磁石とから成る回転伝達装置において、前記ロータガイド、ロータ、アーマチュアおよび電磁石のコアのうちの少なくとも一つの金属部品をめっき鋼板で形成した構成を採用したのである。
【発明の効果】
【００１１】
上記のように、防錆処理を必要とする金属部品をめっき鋼板で形成することによって、めっき等の防錆処理を不要とすることができるため、回転伝達装置のコストの低減を図ることができる。
【発明を実施するための最良の形態】
【００１２】
以下、この発明の実施の形態を図面に基づいて説明する。図１および図２に示すように、回転伝達装置は、トランスミッションの出力軸Ａに接続される入力側部材としての入力軸１と、その入力軸１の外側に設けられた出力側部材としての外輪２を有し、その入力軸１と外輪２は軸受３を介して相対的に回転自在に支持されている。
【００１３】
入力軸１にはカムリング４が設けられ、そのカムリング４と外輪２間に２方向クラッチ５が組込まれている。
【００１４】
２方向クラッチ５は、外輪２の内周に円筒面６を設け、カムリング４の外周には上記円筒面６との間でくさび形空間を形成する複数のカム面７を周方向に等間隔に設け、各カム面７と円筒面６間にローラから成る係合子８を組込み、その係合子８を入力軸１と外輪２間に組込まれた保持器９で保持し、上記入力軸１に対する保持器９の相対回転によって係合子８を円筒面６およびカム面７に係合させるようにしている。
【００１５】
カムリング４の端面にはばね収納凹部１０が形成され、そのばね収納凹部１０内にスイッチばね１１が組込まれている。スイッチばね１１はＣ形をなし、その両端に形成された一対の係合片１２はばね収納凹部１０の外周壁に形成された切欠部１３から保持器９の端面に設けられた切欠き１４内に挿入されて、上記切欠部１３および切欠き１４の周方向で対向する端面を相反する方向に押圧しており、その押圧によって保持器９は係合子８が円筒面６およびカム面７に対して係合解除された中立位置に弾性保持されている。
【００１６】
外輪２の端部外周にはロータガイド１５の一端部が嵌合されている。ロータガイド１５は外輪２に対して回り止めされ、かつ軸方向に非可動とされている。このロータガイド１５の他端部内に前記２方向クラッチ５のオン、オフを制御する電磁クラッチ１６が組込まれている。
【００１７】
電磁クラッチ１６は、保持器９に対して軸方向で対向するアーマチュア１７と、ロータガイド１５の端部内に圧入されて上記アーマチュア１７と軸方向で対向するロータ１８と、そのロータ１８と軸方向で対向する電磁石１９を有している。
【００１８】
電磁石１９は、コア１９ａと、そのコア１９ａに巻付けられたコイル１９ｂとから成り、上記コア１９ａがトランスミッションのケースＢに支持されている。
【００１９】
アーマチュア１７は保持器９との間に組込まれたコネクティングプレート２０を介して保持器９に対して回り止めされ、かつ軸方向に移動可能とされている。すなわち、保持器９の端部内にコネクティングプレート２０を嵌合し、そのコネクティングプレート２０の外周に設けられた係合片２１を保持器９の端部に形成された切欠き１４からアーマチュア１７に設けられた係合孔２２に挿入して、アーマチュア１７を回り止めし、かつ軸方向に移動可能としている。
【００２０】
上記アーマチュア１７は、ロータ１８との間に組込まれた離反ばね２３によってロータ１８から離反する方向に押圧されて保持器９の端面に押し付けられている。
【００２１】
ロータ１８は磁性体から成る。このロータ１８はロータガイド１５に圧入されて回り止めされ、前記アーマチュア１７と対向する対向面には複数の円弧状のスリット２５が円形の配置でもって形成されている。
【００２２】
実施の形態で示す回転伝達装置は上記の構造から成り、電磁石１９のコイル１９ｂに対する通電の遮断時、２方向クラッチ５の係合子８はスイッチばね１１のばね力によって中立位置に保持されているため、入力軸１の回転は外輪２に伝達されず、入力軸１は空転する。
【００２３】
このとき、入力軸１の回転はスイッチばね１１を介して保持器９に伝達され、その保持器９にアーマチュア１７が回り止めされているため、入力軸１と共に保持器９およびアーマチュア１７も回転する。
【００２４】
入力軸１の回転状態において、電磁石１９のコイル１９ｂに通電すると、アーマチュア１７がロータ１８に吸着され、その吸着面に作用する摩擦抵抗はアーマチュア１７と共に回転する保持器９の回転抵抗となるため、保持器９は入力軸１に遅れて回転し、その入力軸１と保持器９の相対回転により、係合子８が円筒面６およびカム面７に係合し、入力軸１の回転は係合子８を介して外輪２に伝達される。
【００２５】
ここで、入力軸１と保持器９が相対回転すると、スイッチばね１１が弾性変形する。このため、電磁石１９の電磁コイル１９ｂに対する通電を遮断すると、スイッチばね１１の復元弾性により保持器９が回転して係合子８が中立位置に戻され、入力軸１から外輪２への回転伝達が遮断される。
【００２６】
上記のような回転伝達装置においては、錆が発生すると耐久性が低下する。その耐久性の向上を図るため、ロータガイド１５、アーマチュア１７、ロータ１８およびコア１９ａの各種の金属部品を溶融亜鉛めっき鋼板等のめっき鋼板によって形成している。
【００２７】
上記のように、各種の金属部品をめっき鋼板で形成することにより、めっき等の防錆処理を施す必要がなくなるため、コストの低減を図ることができる。
【００２８】
実施の形態では、ロータガイド１５、アーマチュア１７、ロータ１８およびコア１９ａのそれぞれをめっき鋼板で形成したが、これらの部品のうちの一つの金属部品をめっき鋼板で形成するようにしてもよい。
【００２９】
また、実施の形態では、２方向クラッチ５として係合子８がローラから成るローラタイプのものを示したが、２方向クラッチはこれに限定されず、例えば、係合子がスプラグから成るスプラグタイプの２方向クラッチであってもよい。
【００３０】
スプラグタイプの２方向クラッチにおいては、入力軸１のカムリング４の外周に円筒面を形成し、その円筒面と外輪２の円筒面６間にスプラグを組込み、上記両円筒面間に組込まれた径の異なる二つの保持器のそれぞれにスプラグを収納するポケットを設け、小径側保持器のポケット内にスプラグを中立位置に保持する一対の弾性片を設けるようにする。
【００３１】
また、小径側保持器をカムリング４にピン等で固定し、一方、大径側保持器にアーマチュア１７を回り止めし、かつ軸方向に移動可能に設け、そのアーマチュア１７がロータ１８に吸着されたとき、小径側保持器と大径側保持器とを相対的に回動させてスプラグを外輪２およびカムリング４の円筒面に係合させる。
【００３２】
さらに、カムリング４の端面に保持されたスイッチばね１１のばね力を大径側保持器に付与し、そのスイッチばね１１のばね力により大径側保持器に回転力を付与してスプラグを中立位置に戻すようにする。
【図面の簡単な説明】
【００３３】
【図１】この発明に係る回転伝達装置の実施の形態を示す縦断正面図
【図２】図１のII−II線に沿った断面図
【符号の説明】
【００３４】
１      入力軸（入力側部材）
２      外輪（出力側部材）
５      ２方向クラッチ
８      係合子
９      保持器
１１    スイッチばね
１５    ロータガイド
１６    電磁クラッチ
１７    アーマチュア
１８    ロータ
１９    電磁石
１９ａ  コア
【図１】
2007155101.tif 000003
【図２】
2007155101.tif 000004